(57)【要約】【課題】生理用ショーツの就寝時の背面側横漏れを防止する。【解決手段】股部１４の前端１４ａから後身頃１３のウエスト位置に当たる上端１３ｂにかけて本体布１１の内面側に重ねて防水布２１を配置し、該防水布２１の左右両側縁２１ｅ、２１ｅに沿ってウエスト側上端２１ｂから脚回り裾端２１ｃ、２１ｃまで本体布１１と一体に第一伸縮テープ３１を縫着し、後身頃１３の臀裂に沿って上端１３ｂから股部１４の前端１４ａまで第二伸縮テープ３２を縫着し、防水布２１の左右脚回り裾端２１ｃ、２１ｃに沿って本体布１１と一体に第三伸縮テープ３３を縫着する一方、該防水布２１の股部２２の両側縁２２ａ、２２ａは本体布１１と縫着せず、ナプキン３０の左右羽根部３０ａ、３０ａを折り返して挿入する空間１７を前記本体布１１と防水布２１の間に形成していることを特徴とする。【選択図】図１
0003128434.tif 000002
【実用新案登録請求の範囲】
【請求項１】
本体布と、
前身頃下端と連続する股部の前端から後身頃のウエスト部にかけて前記本体布の内周側に重ねて配置し、後身頃側では左右脚回り裾端からウエスト位置にかけて台形状とした防水布と、
前記防水布の左右両側縁に沿ってウエスト側上端から脚回り裾端まで配置し、該防水布と前記本体布とに縫着した第一伸縮テープと、
前記後身頃の臀裂に沿ってウエスト部から股部の前端まで縫着する第二伸縮テープと、
前記左右脚回り裾端に沿って縫着する第三伸縮テープとを備え、
前記防水布の左右脚回りに沿った裾端は前記第三伸縮テープと共に本体布に縫着する一方、該防水布の股部の両側縁は本体布と縫着せず、該防水布の股部内面に配置されるナプキンの左右羽根部を折り返して挿入する空間を前記本体布と防水布の間に形成していることを特徴とする生理用ショーツ。
【請求項２】
前記第一伸縮テープはギャザーをつけて前記防水布および本体布に縫着し、かつ、前記第二伸縮テープはギャザーをつけて本体布に縫着し、前記第三伸縮テープはギャザーをつけて本体布および防水布に縫着している請求項１に記載の生理用ショーツ。
【請求項３】
前記防水布の股部の両側縁に沿って第四伸縮テープをギャザーをつけて縫着している請求項１または請求項２に記載の生理用ショーツ。
【考案の詳細な説明】
【技術分野】
【０００１】
本考案は生理用ショーツに関し、特に、就寝時の着用に適した夜用生理用ショーツに関する。
【背景技術】
【０００２】
従来の夜用の生理用ショーツとしては、臀裂に沿って流れる経血の後ろ漏れを防止するために、図８に示すショーツ１のように、防水布３を、本体布２の股部２ａから背面側ウエスト位置２ｂにかけて延長拡大して配置しているものが一般に知られている（実開平３−１５５１４号参照）。
【０００３】
しかしながら、前記ショーツ１は、防水布３の脚回り裾端３ｃからウエスト位置３ｄにあけての左右両側縁３ａ、３ｂを本体布２と縫着せず、遊離させているため、該防水布３の背面部３ｅの位置が安定しない。そのため、就寝中の寝返り等によって防水布３が臀裂付近からずれる、あるいは臀裂に食い込んで中央に寄ってしまい、防水布３から経血が横漏れする虞れがある。
【０００４】
一方、実公平６−４４４１６号では、図９（Ａ）（Ｂ）に示すように、前身頃５、股部６、後身頃７および裏当て布８とからなる生理用ショーツ４において、後身頃７は臀裂に沿った中央後身頃７ａと側方後身頃７ｂ、７ｂとで構成し、中央後身頃７ａは側方後身頃７ｂ、７ｂよりも前後方向にやや短く形成している。前記裏当て布８は、後方へは中央後身頃７ａのウエスト位置まで延在させて縫着しているとともに、左右両側へは、前記側方後身頃７ｂ、７ｂの脚回り裾端まで延在させ、該側方後身頃７ｂ、７ｂに図中点線で示す縫着線ｈで縫着している。また、中央後身頃７ａと左右の側方後身頃７ｂ、７ｂとの縫着部には伸縮テープ９を縫着している。
【０００５】
前記ショーツ４は、図９（Ｂ）に示すように、着用時に中央後身頃７ａが臀裂に沿って腰部方向へ引き上げられると共に、裏当て布８も引き上げられるため、ナプキンを臀裂に食い込むように身体に密着させることができ、ナプキンの装着安定性が高まり、就寝時においても経血漏れを防止できるとされている。
【０００６】
しかしながら、前記ショーツ４は、中央後身頃７ａが配置された臀裂付近のみで引き上げ力が強く、該臀裂付近でナプキンの身体密着性は高まるが、裏当て布８の身体密着性については不十分と考えられる。
【０００７】
即ち、経血量が多い場合など、ナプキンで吸収しきれない経血がナプキンから漏れても外衣にまで漏れないように配置するものが防水性の裏当て布８であるため、該裏当て布８はナプキンの大きさよりも広範囲をカバーし、かつ、ナプキンよりも外側で経血漏れを堰き止める機能を有する必要がある。しかしながら、前記ショーツ４においては、裏当て布８のうち、身体密着性が高く経血漏れ堰き止め機能を有する箇所は伸縮テープ９の装着箇所であり、この伸縮テープ９の装着箇所は、裏当て布８の外縁よりも臀裂寄りで、ナプキン装着箇所に近接しているため、拡大配置した裏当て布８全体の防水性を効果的に利用しているとは言えず、ナプキンから漏れた経血が、特に背面側で裏当て布８から横漏れする虞がある。
【０００８】
【特許文献１】実開平３−１５５１４号公報
【特許文献２】実公平６−４４４１６号公報
【考案の開示】
【考案が解決しようとする課題】
【０００９】
本考案は前記問題に鑑みてなされたもので、就寝中のナプキンのズレやよれを防止して、ナプキンからの経血漏れを防止できると共に、万が一ナプキンから漏れた場合でも、防水布により広範囲かつ確実に後ろ漏れおよび横漏れを防止できる生理用ショーツの提供を課題としている。
【課題を解決するための手段】
【００１０】
前記課題を解決するために、本考案は、本体布と、
前身頃下端と連続する股部の前端から後身頃のウエスト部にかけて前記本体布の内周側に重ねて配置し、後身頃側では左右脚回り裾端からウエスト位置にかけて台形状とした防水布と、
前記防水布の左右両側縁に沿ってウエスト側上端から脚回り裾端まで配置し、該防水布と前記本体布とに縫着した第一伸縮テープと、
前記後身頃の臀裂に沿ってウエスト部から股部の前端まで縫着する第二伸縮テープと、
前記左右脚回り裾端に沿って縫着する第三伸縮テープとを備え、
前記防水布の左右脚回りに沿った裾端は前記第三伸縮テープと共に本体布に縫着する一方、該防水布の股部の両側縁は本体布と縫着せず、該防水布の股部内面に配置されるナプキンの左右羽根部を折り返して挿入する空間を前記本体布と防水布の間に形成していることを特徴とする生理用ショーツを提供している。
【００１１】
前記構成の生理用ショーツは、前記第一伸縮テープと第三伸縮テープの収縮作用によって、防水布の左右両側縁と左右脚回り裾端の身体密着性が高まる。従って、就寝時に後ろ漏れが気になる後身頃側において、ウエスト位置まで配置した防水布の外縁全体を身体に密着させることができるため、ナプキンから経血が漏れたとしても、防水布の外縁で漏れを堰き止めることができ、特に背面側で経血が防水布から横漏れすることを確実に防止できる。
【００１２】
また、前記第二伸縮テープの収縮作用により、ナプキンの中心が押さえられ、身体に密着して安定するため、就寝中の寝返り等によって生じやすいナプキンのヨレやズレを防ぎ、ナプキンからの経血漏れを防止することができる。
このように、ナプキンからの漏れ防止と防水布からの漏れ防止の二重の漏れ防止構造を備えることにより、生理用ショーツからの経血漏れを確実に防止することができる。
【００１３】
さらに、羽根付きタイプのナプキンを装着する場合でも、左右羽根部は、防水布と本体布との間に折り返して挿入できるため、外から見えないうえ、外側に着用するガードルやストッキング等の衣類と擦れて羽根部がはがれ、めくれること等を防止できる。
【００１４】
さらにまた、経血の後ろ漏れは、ウエスト位置に近いほど臀裂に沿って起こり、左右への漏れ広がりは減るため、前記防水布を台形状とすることにより、少ない面積の防水布で背面側での後ろ漏れおよび横漏れを効果的に防止でき、コスト効率を上げることができる。
【００１５】
前記防水布としては、伸縮性布の内面あるいは内外両面に防水加工を施したものが好適に用いられる。
例えば、ナイロン繊維から成る伸縮性布の内面あるいは内外両面にポリウレタン樹脂等による防水性、撥水性のある被膜をコーティングして防水加工を施したもの等である。特に撥水処理は、汚れを落としやすい点でも好適である。
【００１６】
前記本体布としては、通気性を有すると共に、肌に優しい天然繊維からなる素材で、かつ、縦・横いずれの方向にも伸びる伸縮性布が好適に用いられる。
【００１７】
前記第一伸縮テープはギャザーをつけて前記本体布に縫着し、かつ、前記第二伸縮テープは臀裂に沿ってギャザーをつけて本体布に縫着し、前記第三伸縮テープはギャザーをつけて本体布および防水布に縫着することが好ましい。
【００１８】
前記防水布の左右両側の第一伸縮テープと本体布の臀裂に沿った第二伸縮テープをギャザーをつけて縫着していることにより、ナプキンを防水布でしっかりと押さえて身体に密着させることができ、動いてもずれを生じさせないようにすることができる。また、左右脚回り端縁の第三伸縮テープにギャザーをつけることにより、ナプキンがはみ出さないように確実に覆うことができる。
【００１９】
さらに、前記防水布の股部の両側縁に沿って第四伸縮テープを縫着することが好ましい。
これにより、羽根付ナプキンを装着するときに、防水布の前記股部を上方に持ち上げて伸ばすことができ、本体布と防水布との間の空間を大きく確保できるため、羽根部を折り返して簡単に挿入できると共に、防水布の裏面への羽根部の接着も容易にできる。
【００２０】
なお、この第四伸縮テープをギャザーがつくように縫着すると、防水布の股部を上方に膨らむように持ち上げることができ、羽根部の挿入が一層容易となる。ただし、ギャザーによる伸縮量が大きくなりすぎると羽根部の接着が安定しないため、ギャザーは僅かに設ける程度が好ましい。
【考案の効果】
【００２１】
上述したように、本考案によれば、ナプキンの身体密着性のみでなく、防水布の身体密着性も高まるため、就寝時におけるナプキンからの経血漏れを防止すると共に、万が一ナプキンから経血が漏れても防水布の外縁で漏れを堰き止めることができ、ショーツからの経血漏れを確実に防止することができる。
【００２２】
また、羽根付ナプキンを装着する場合、折り返した羽根部を防水布の股部と本体布との間に挿入できるため、羽根部が外から見えないうえ、外側に着用するガードル等に羽根部が擦れてめくれたり剥がれることを防止できる。
【００２３】
さらに、第一、第二伸縮テープをギャザーをつけて縫着することにより、ナプキンを防水布でしっかりと押さえて身体に密着させることができ、防水布による経血漏れ堰き止め効果を高めることができる。かつ、第三伸縮テープもギャザーをつけて縫着することで股部の両側左右脚回り端縁でナプキンがはみ出すのを防止することができる。
【考案を実施するための最良の形態】
【００２４】
以下、本考案の実施形態を図面を参照して説明する。
図１乃至図７は、本考案の実施形態にかかる生理用ショーツ１０を示し、該生理用ショーツ１０は、本体布１１の内面側に防水布２１を備えている。
【００２５】
前記本体布１１は、図１および図２に示すように、ウエスト位置から恥骨近傍にかける腹部を覆う前身頃１２と、股間から背面側ウエスト位置にかける背面部を覆う、股部１４と連続一体の後身頃１３とからなり、前身頃１２と後身頃１３とは、下端部を互いに縫着（Ｈ１）すると共に、脇線ラインでも縫着（Ｈ２）している。
【００２６】
前記防水布２１は、図３および図４に示すように、股部２２と背面部２３とを連続一体化してなり、前記股部１４の前端１４ａに当たる後身頃１３の下端１３ａから、背面側ウエスト位置に当たる後身頃１３の上端１３ｂにかけて、該後身頃１３の内面側に重ねて配置される。
詳しくは、防水布２１の下端２１ａは、後身頃１３の前記下端１３ａに、防水布２１の上端２１ｂは後身頃１３の前記上端１３ｂに対応すると共に、左右脚回り裾端２１ｃ、２１ｃは、本体布１１の左右脚回り周縁１５、１５に沿って左右各脚の後中心近傍まで広がり、左右両側縁２１ｅ、２１ｅは、前記左右脚回り裾端２１ｃ、２１ｃの外端部２１ｄ、２１ｄからウエスト位置に当たる上端２１ｂにかけて、左右近接方向に傾斜させたテーパ状とし、該防水布２１の背面部２３の形状を台形状としている。
【００２７】
前記本体布１１は天然素材の綿を素材とし、通気性を保持すると共に、縦横いずれの方向にも伸縮性を持たせている。
【００２８】
前記防水布２１は、ナイロン繊維からなる伸縮性布の内面と外面にポリウレタン樹脂等の防水性、撥水性の被膜をコーティングして防水加工している。また、コーティング後に、さらに特定の金属を担持した複合粒子などの抗菌剤および脱臭剤を含有した被膜をコーティングして、防水布２１に抗菌脱臭性能を付与している。また、前記防水布２１には、横方向より縦方向の伸びが大きい伸縮性布を用いている。
【００２９】
前記防水布２１は、左右脚回り裾端２１ｃ、２１ｃと左右両側縁２１ｅ、２１ｅと上端２１ｂを後身頃１３に縫着していると共に、下端２１ａは、前身頃１２および後身頃１３との下端縫着部Ｈ１に一体に縫着している。ただし、図５に示すように、左右脚回り裾端２１ｃ、２１ｃのうち、股部２２の両側縁２２ａ、２２ａは後身頃１３と縫着せずに遊離させている。
【００３０】
前記防水布２１の左右両側縁２１ｅ、２１ｅと後身頃１３との縫着部Ｈ３の内面側には、図４に示すように、防水布２１と後身頃１３とに共にギャザー３６、３７がつくように第一伸縮テープ３１を一体に縫着している。
【００３１】
前記後身頃１３には、図１および図２に示すように、下端１３ａから上端１３ｂにかけて、臀裂に沿った内側に第二伸縮テープ３２を縫着している。このとき、内面側の防水布２１には縫着せずに遊離させておく。また、該第二伸縮テープ３２は全長にわたってギャザー３８をつけて伸縮性を大としている。
【００３２】
防水布２１の左右脚回り裾端２１ｃ、２１ｃと後身頃１３との縫着部Ｈ４を含む左右脚回り周縁１５、１５にも、図３、図４等に示すように、防水布２１と本体布１１共にギャザー３９、４０がつくように、内面側に第三伸縮テープ３３を縫着している。
【００３３】
防水布２１の前記股部２２の両側縁２２ａ、２２ａには、図５に示すように、外面側（下面側）に第四伸縮テープ３４を僅かにギャザーをつけて縫着している。
【００３４】
防水布２１の上端２１ｂと後身頃１３との縫着部Ｈ５を含むウエスト回り周縁１６には、図３、図４等に示すように、防水布２１と本体布１１共にギャザー４１、４２がつくように、内面側に第五伸縮テープ３５を一体に縫着している。
【００３５】
前記構成の生理用ショーツ１０は、前記第二伸縮テープ３２の収縮力によってナプキンの中心が身体に押し付けられてフィットするため、ナプキンが安定し、就寝中の寝返り等によるナプキンのズレやヨレを防ぎ、ナプキンからの経血漏れを防止することができる。
また、防水布２１は、前記第二伸縮テープ３２によって臀裂付近で身体に密着するのみでなく、第一伸縮テープ３１および第三伸縮テープ３３によって、背面部２３の外縁、即ち、左右側縁２１ｅ、２１ｅおよび左右脚回り裾端２１ｃ、２１ｃで身体に密着するため、万が一ナプキンから経血が漏れても、防水布２１からは経血が漏れないように堰き止めることができる。
さらに、防水布２１の背面部２３はウエスト位置まで延在し、その上端２１ｂは、前記第五伸縮テープ３５によって身体に密着するため、防水布２１からの後ろ漏れも確実に堰き止めることができる。
【００３６】
また、図５に示すように、防水布２１の股部２２と後身頃１３の股部１４とは縫着せず、その間に空間１７を設けていると共に、防水布２１の股部２２の両側縁２２ａ、２２ａに第四伸縮テープ３４を縫着しているため、羽根付ナプキン３０を装着するときは、前記股部２２を上方に引き上げて前記空間１７を大きく広げ、図６に示すように、左右の羽根部３０ａ、３０ａを折り返して容易に挿入することができる。これにより、羽根部３０ａが外から見えないように隠すことができると共に、該羽根部３０ａがガードル等の外側の衣類や脚の動きによってめくれたり、はがれることを防止できる。
【００３７】
さらに、各第一〜第五伸縮テープ３１〜３５の縫着箇所にギャザーをつけているため、厚めのナプキン３０を装着しても、図７（Ａ）（Ｂ）に示すように、防水布２１および後身頃１３が立体的に膨らんで該ナプキン３０を包み込むことができる。これにより、防水布２１の背面部２３の外縁、即ち、左右両側縁２１ｅ、２１ｅおよび左右脚回り裾端２１ｃ、２１ｃはナプキン３０の厚みで身体から浮き上がることなく、防水布２１の身体密着性を高めることができる。かつ、ナプキン３０がはみ出さないようにすることができる。
【００３８】
なお、本考案は前記実施形態に限定されない。前記実施形態では、股部１４と後身頃１３とを接ぎ無しの一枚布としているが、別布として縫着してもよい。同様に、第一伸縮テープ３１および第二伸縮テープ３２の縫着箇所についても、本体布１１（後身頃１３）は接ぎなしの一枚布としているが、別布として縫着してもよい。
【図面の簡単な説明】
【００３９】
【図１】本考案の第一実施形態に係る生理用ショーツの正面図である。
【図２】図１の背面図である。
【図３】図１の裏面図である。
【図４】図２の裏面図である。
【図５】図１に示すショーツの要部斜視図である。
【図６】図１に示すショーツの使用状態を示す要部斜視図である。
【図７】（Ａ）は図１に示すショーツの使用状態を示す背面側の要部横断面図、（Ｂ）は同じく使用状態における要部縦断面図である。
【図８】従来例を示す図である。
【図９】他の従来例を示し、（Ａ）は仕立て前の各部位を示す平面図、（Ｂ）は着用時の状態を示す図である。
【符号の説明】
【００４０】
１０  生理用ショーツ
１１  本体布
１２  前身頃
１３  後身頃
１４  股部
２１  防水布
２２  股部
２１ｃ  左右脚回り裾端
２１ｅ  左右両側縁
３０  羽根付ナプキン
３１  第一伸縮テープ
３２  第二伸縮テープ
３３  第三伸縮テープ
【図１】
0003128434.tif 000003
【図２】
0003128434.tif 000004
【図３】
0003128434.tif 000005
【図４】
0003128434.tif 000006
【図５】
0003128434.tif 000007
【図６】
0003128434.tif 000008
【図７】
0003128434.tif 000009
【図８】
0003128434.tif 000010
【図９】
0003128434.tif 000011